(57)【要約】【課題】１つの電子機器により取得された車両情報を他の電子機器において共有することが可能な車両情報判別機能を有する電子機器およびそれを用いた車両情報共有化システムを提供する。【解決手段】車両情報の供給源２に接続可される入力ライン３と、データの送受を行うためのデータ送受信部９と、入力ライン３からの車両情報を記憶可能なカレントメモリ５と、以前の車両情報を記憶するラストメモリ６と、メモリ５、６の車両情報を比較しその変化を判定する状態変化判定部７とを有し、変化があったときに状態変化データをデータ送受信部９を介して他の機器へ送信する。これにより、すべての機器間で車両情報を共有化する。【選択図】      図１
2004268624.tif 000002
【特許請求の範囲】
【請求項１】
車両情報の供給源に接続可能な少なくとも１つの入力ラインと、データの送受を行うためのデータ送受信手段と、前記入力ラインから供給された車両情報を記憶可能な第１の記憶手段と、前記入力ラインから供給された以前の車両情報を記憶する第２の記憶手段と、前記第１、第２の記憶手段に記憶された車両情報を比較し車両情報の変化があったか否かを判定する判定手段と、前記判定手段により車両情報の変化があったことが判定された場合に車両情報の変化を含む状態変化データを前記データ送受信手段を介して他の機器へ送信する制御手段とを有する、車両情報判別機能を有する電子機器。
【請求項２】
前記制御手段は、前記データ送受信手段が他の機器から状態変化データを受信したとき、該状態変化データに基づき車両情報を第３の記憶手段に記憶させる、請求項１に記載の車両情報判別機能を有する電子機器。
【請求項３】
前記状態変化データは、車両情報の変化を示すデータと、車両情報の変化がないことを示すデータとから構成される、請求項１または２に記載の車両情報判別機能を有する電子機器。
【請求項４】
請求項１ないし３いずれかに記載の電子機器をデータ送受信用の回線を介して複数接続し、いずれかの電子機器によって得られた車両情報を複数の電子機器間において共有する、車両情報共有化システム。
【請求項５】
一の電子機器の入力ラインが車両情報の供給源に接続され、この入力ラインと重複する機能を有する他の電子機器の入力ラインは車両情報の供給源に未接続である、請求項４に記載の車両情報共有化システム。
【請求項６】
一の電子機器によって車両情報の変化があったことが判定されたとき、当該一の電子機器から他の電子機器に対して状態変化データが送信され、他の電子機器は前記状態変化データに基づき前記第３の記憶手段を更新し、前記複数の電子機器の前記第３の記憶手段に同一内容の車両情報が保持される、請求項４または５に記載の車両情報共有化システム。
【発明の詳細な説明】
【０００１】
【発明の属する技術分野】
本発明は、車両情報を判別するための機能を備えた電子機器を用いて車両情報を各電子機器間において共有することができる、車両情報共有化システムに関する。
【０００２】
【従来の技術】
自動車に装着されるＴＶセット、ナビゲーション装置、オーディオ装置およびオーディオコントロールユニット等の電子機器は、単体（スタンドアローン）として使用可能であると同時に、車両の状態に応じた動作を必要とされることがある。例えば、自動車の走行中に、その安全性を考慮してＴＶ画面に動画を表示させないようにしたり、あるいは、周囲が暗くなったときにそれに応答してメータパネルのバックライトを明るくさせたり、その反対に周囲が明るくなったときにバックライトを暗くすることがある。こうした車両の状態を示す車両情報を得るために、各電子機器は車両情報の供給源に接続される。例えば、電子機器は、パーキングブレーキ（サイドブレーキ）に接続されて自動車が走行中であるか否かを判定したり、ディマースイッチ（ライトスイッチ）に接続されて周囲の明るさを判定している。
【０００３】
車両情報を必要とする電子機器は、車両情報を入力するための入力ライン若しくは入力端子を備えている。図５は、電子機器と車両情報の供給源との接続関係を示す図である。ナビゲーション装置１００、ＴＶセット１１０、オーディオコントロールユニット１２０、およびオーディオ機器１３０は、それぞれ車両情報を入力するための入力ライン１４０、１４１、１４２、１４３を備えている。各機器の各入力ライン１４０〜１４３は、それぞれディマースイッチ１５０およびパーキングブレーキ１６０に接続され、これにより電子機器の各々は、自動車が走行中か否か、周囲が暗くなったか否かを判定するようになっている。
【０００４】
車両情報を取得する電子機器の例が特許文献１に開示されている。特許文献１の図１には、車載用ディスク交換装置１０にバスライン４０、５０を介してビデオＣＤ（マスターユニット２０）およびカセットデッキ（マスターユニット３０）が接続され、自動車が走行中であることが検出回路６により検出されたとき、ビデオＣＤに動画が再生されることを禁止している。
【０００５】
また、特許文献２は、自動車が走行中であるか否かを検出し、走行中はＴＶ放送画面の表示を禁止する一方、ナビゲーション装置には地図情報の表示を走行中でも可能とする技術が開示されている。
【０００６】
【特許文献１】
特開平９−２７１６３号
【特許文献２】
特開平６−２６２９８４号
【０００７】
【発明が解決しようとする課題】
しかしながら、従来の車両情報を取得するシステムには次のような課題がある。上述した図５に示すように、車両情報を必要とする電子機器のすべての入力ライン１４０を、車両情報の供給源に対して接続することは、配線が煩雑であるとともにその作業も容易ではい。特に、多数の電子機器を搭載する場合には、電子機器の設置場所がトランク、シート下、インダッシュなどに分かれ、例えばシート下からパーキングブレーキまでを接続するのは簡単であるが、トランクからだと引き回しが長くなりその作業も非常に手間を要することとなる。
【０００８】
他方、単純に入力ラインからの車両情報を、制御バスを通して他の電子機器に送り合うという方法を取ると、車両情報の供給源に接続されていない入力ラインから間違った情報が得られ、その情報が他の電子機器に送られると、正常な情報と間違った情報とが入り乱れて、この情報を正確に判定できなくなってしまう。これを是正するために、機器毎に入力ラインを車両情報の供給源に接続したか否かを、ユーザが機器に設定する方法が考えられる。例えば、ユーザが、オーディオコントロールユニットを車両情報の供給源に接続するという設定をし、他の機器は車両情報の供給源に接続しないという設定をすることで、オーディオコントロールユニットからの車両情報のみが制御バスに送信されてこれが有効とされ、他の機器からの車両情報は制御バスに送信されずこれが無効とされる。この場合、ユーザは、個々の電子機器毎に有効か否かの設定をしなければならず、その作業が煩雑であるとともに、ユーザによる設定ミスを完全に防ぐことはできない。
【０００９】
そこで、本発明は上記従来の技術を解決し、一つの電子機器により取得された車両情報を他の電子機器において共有することが可能な車両情報共有化システムおよびそれに用いられる車両情報判別機能を有する電子機器を提供することを目的とする。
さらに本発明は、電子機器の配線等の手間を簡略化し、作業効率および操作性に優れた車両情報判別機能を有する電子機器およびそれを用いた車両情報共有化システムを提供することを目的とする。
【００１０】
【課題を解決するための手段】
本発明に係る車両情報判別機能を有する電子機器は、車両情報の供給源に接続可能な少なくとも１つの入力ラインと、データの送受を行うためのデータ送受信手段と、前記入力ラインから供給された車両情報を記憶可能な第１の記憶手段と、前記入力ラインから供給された以前の車両情報を記憶する第２の記憶手段と、前記第１、第２の記憶手段に記憶された車両情報を比較し車両情報の変化があったか否かを判定する判定手段と、前記判定手段により車両情報の変化があったことが判定された場合に車両情報の変化を含む状態変化データを前記データ送受信手段を介して他の機器へ送信する制御手段とを有する。
【００１１】
これにより、一つの電子機器によって入手された車両情報は他の電子機器においても共有することができるので、電子機器に設けられたすべての入力ラインを車両情報の供給源、例えばパーキングブレーキおよびディマースイッチの情報源、に接続する必要がなくなり、配線作業を簡略化することができる。どの入力ラインの配線をするかは、各電子機器と車両情報の供給源との位置関係を考慮し、配線作業が容易となる電子機器の入力ラインを選択して配線する。さらに、車両情報の変化があったときに状態変化データを送信するため、入力ラインが未接続の場合には車両情報に変化がないため、それに起因する状態変化データが他の電子機器へ送信されることはなく、従って、入力ラインが未接続であることが、車両情報の判定に際して誤った判定を引き起こすことはない。
【００１２】
好ましくは前記制御手段は、前記データ送受信手段が他の機器から状態変化データを受信したとき、該状態変化データに基づき車両情報を前記第３の記憶手段に記憶させる。こうすることで、すべての電子機器間において第３の記憶手段には共通の車両情報が記憶され、これを参照することで共通の車両の状態を把握することができる。
【００１３】
本発明に係る車両情報共有化システムは、上述した車両情報判別機能を有する電子機器をデータ送受信用の回線により複数接続することで、該複数の電子機器間において車両情報を共有化する。複数の電子機器のうち、同じ車両情報を入力するための重複した複数の入力ラインがあるときは、いずれか一つの入力ラインを車両情報の供給源に接続すればよく、他の入力ラインは未接続であってもよい。こうして、一の電子機器によって車両情報の変化があったことが判定されたとき、当該一の電子機器から他の電子機器に対して状態変化データが送信され、他の電子機器は前記状態変化データに基づき前記第３の記憶手段を更新し、前記複数の電子機器の第３の記憶手段に同一内容の車両情報が保持される。
【００１４】
【発明の実施の形態】
以下本発明の実施の形態について説明する。図１は、本発明の実施の形態に係る車両情報判別機能を有する電子機器の構成を示すブロック図である。本実施の形態に係る電子機器１は、例えば、自動車に搭載されるナビゲーション装置、ＴＶセット、ＣＤ、ＣＤ交換機、ＤＶＤ装置などのオーディオ装置およびオーディオコントロールユニット等のあらゆる装置が対象となり得る。電子機器１は、例えばパーキングブレーキがオンにしているか否かやディマースイッチがオンしているか否か等の車両情報の供給源２に対して複数の入力ライン３を介して接続可能な車両情報入力部４と、車両情報入力部４に入力された車両情報に基づいて現在の車両情報を記憶するカレントメモリ５および以前の車両情報を記憶するラストメモリ６と、カレントメモリ５とラストメモリ６の車両情報を比較し、それらが一致しているか否かにより状態の変化があったことを判定する状態変化判定部７と、他の電子機器との間でＬＡＮ等の回線８を介してデータの送受信を行うためのデータ送受信部９と、他の電気機器からの車両情報に基づいて共有化した車両情報を記憶しまたは必要に応じてカレントメモリ５からの車両情報を記憶する共有化車両情報メモリ１２と、電子機器の本質的な機能（例えば、ナビゲーション装置であれば、ナビゲーション機能）を行う機能部１０と、これらの各部を制御する制御部１１とを有する。
【００１５】
車両情報の供給源２は、複数の車両情報を含み、これに接続される複数の入力ライン３は、それら複数の車両情報を車両情報入力部４に供給する。制御部１１は、車両情報入力部４をモニタリングし、車両情報を定期的にサンプリングする。サンプリングされた車両情報は、カレントデータとしてカレントメモリ５に記憶され、同時に、カレントメモリ５に記憶されていた１つ前にサンプリングされた車両情報がラストデータとしてラストメモリ６に転送されそこに記憶される。
【００１６】
状態変化判定部７は、制御部１１の制御により、カレントメモリ５に記憶されたカレントデータとラストメモリ６に記憶されたラストデータとを比較する。状態変化判定部７は、カレントメモリ５とラストメモリ６に記憶されたデータが一致しないとき、複数の車両情報の少なくとも１つに変化があったと判定し、その判定結果を制御部１１に伝える。制御部１１は、車両情報の少なくとも１つに状態変化があったときに、当該少なくとも１つの状態変化を含む状態変化データをデータ送受信部９を介して他の電子機器に送信する。他の電子機器は、ＬＡＮ回線８を介して状態変化データをデータ送受信部９を介して受け取り、制御部１１は状態変化データに基づき共有化車両情報メモリ１２の内容を更新する。こうすることで、すべての電子機器間の共有化車両情報メモリ１２には共通の車両情報が記憶され、特定の電子機器によって取得された車両情報を共有することができる。
【００１７】
電子機器は、車両情報の初期値としては、入力ライン３が外れているときの論理（例えば論理“０”）とし、電子機器から他の電子機器へのデータの送信は、ラストデータとカレントデータとを比較し、その状態の変化があったときにそのデータを他の機器に送信する。入力ラインが未接続の場合にはその論理が変化することはないため、入力ラインが未接続である機器からは、入力ラインが未接続であることを原因とする状態変化データは送信されず、従って、入力ラインの未接続が車両情報の誤判定を引き起こすことはない。これによりすべての電子機器の入力ライン３が車両情報の供給源２に接続されることを要さず、言い換えれば、各電子機器の入力ライン３は、重複して車両情報の供給源２に接続される必要はない。
【００１８】
他の電子機器へ送信される状態変化データには、いくつかの送信例を用いることができる。図２に、ある一つの車両情報（例えばサイドブレーキの状態）についてのラストデータとカレントデータとを比較したときの、状態変化データの送信例を示す。
【００１９】
送信例１では、ラストデータからカレントデータへのデータの変化がない場合には、不明という値が設定され、これが送信される。不明な値は例えば複数ビットを用いることにより表すことができる。いくつかの車両情報と一括して送信データ（状態変化データ）を送信する場合には、このような状態変化のない不明という値のデータであっても送信データに含まれることがある。一方、ラストデータからカレントデータへの変化があったときは、カレントデータの値を状態変化データとして送信する。他の電子機器は、不明の値を受け取ったとき、共有化車両情報メモリ１２の内容を書き換えることなくそのまま保持する。また、他の電子機器が状態変化を示すデータを受け取ったとき、当該状態変化を示すデータに基づき共有化車両情報メモリ１２の内容が更新され、同時に今までカレントメモリ５に記憶されていたデータがラストデータ６に転送される。こうして、他の電子機器は、共有化車両情報メモリ１２のデータを参照することで、車両情報を判定することができる。なお、入力ライン３が未接続の場合には、状態の変化が生じないため、常に不明の値が設定される。
【００２０】
送信例２は、ラストデータからカレントデータが“１”から“１”のときは、不明という値を設定するのではなく、“１”を設定し、これを送信することも可能である。つまり、“１”の値は、入力ラインが接続されていると考えら得るので、“１”というデータを送るようにしてもよい。
【００２１】
送信例３は、ラストデータとカレントデータをそのまま送信する例を示す。この場合、他の電子機器は、受信したラストデータとカレントデータとによって、共有化車両情報メモリ１２の内容を更新し、制御部１１は、更新された共有化車両情報メモリ１２の内容から車両状態を判定する。
【００２２】
車両情報が複数ある場合には、すべての車両情報を一括して送受した方が管理しやすいという利点がある反面、車両情報が増加する毎に状態変化データのデータ量も多くなり、処理が煩雑化する。そこで、複数の車両情報の内、変化があった車両情報だけの状態変化データを送信することも可能である。この場合には、送信例１のような不定の値は送信の対象から外される。例えば、車両情報として、ディマースイッチのオンオフ情報と、パーキングブレーキのオンオフ情報とがある場合、ディマースイッチのオンオフ情報の変化があったときには、当該ディマースイッチのオンオフ情報の変化のみを送るようにしてもよい。
【００２３】
図３は、車両情報判定機能を有する電子機器による車両情報共有化システムの一構成例を示す図である。オーディオコントロールユニット２０、車載用ナビゲーション装置（ＮＡＶＩ）３０、およびＴＶセット４０は、図１に示す車両情報判定機能を備えるものであり、それぞれの機器のデータ送受信部９がＬＡＮ回線８を介して相互に接続される。オーディオコントロールユニット２０は、デイマースイッチ５０に接続される入力ライン２１を有し、この入力ライン２１がディマースイッチ５０に接続される。ナビゲーション装置３０は、パーキングブレーキ６０とディマースイッチ５０とに接続される２つの入力ライン３１、３２を有し、ディマースイッチ用の入力ライン３２は未接続（オープン）であり、パーキングブレーキ用の入力ライン３１はパーキングブレーキ６０に接続される。また、ＴＶセット４０は、ディマースイッチとパーキングブレーキ用の入力ライン４１、４２を有するが、それらの入力ライン４１、４２は未接続（オープン）である。
【００２４】
電子機器２０、３０、３０のすべての入力ラインが車両情報の供給源に接続される必要はなく、オーディオコントロールユニット２０の入力ライン２１とナビゲーション装置３０の入力ライン３１とがそれぞれディマースイッチ５０とパーキングブレーキ６０にそれぞれ接続され、その他の重複する入力ライン４１、４２の配線接続は必ずしも要しない。
【００２５】
次に、図３のシステムにおいて車両情報を共有化するための動作を図４を参照して説明する。データ送信は、図２の送信例１に従うこととし、図中、ディマースイッチは“ｄｉｍｍｅｒ”、パーキングブレーキは“ｂｒａｋｅ”、不明の値は“＊”にて表示し、“−”は送信データが送信されないことを意味し、送信データの構成は、ディマースイッチ／パーキングブレーキである。また、最上段は実際の車両状態の変化を示し、最下段の“車両情報判定値”は、すべての機器において共有された同一の判定値である。当然のことながら、最上段の車両状態と最下段の“車両情報判定値”は一致する。
【００２６】
先ず始めに、各電子機器のカレントメモリ５の初期値は次のように設定される。オーディオコントロールユニット２０は、ディマースイッチ５０に対する入力ライン２１しか有していないため、その初期値は、ディマースイッチが“０：ｏｆｆ”となる。パーキングブレーキ６０についてのデータは存在せず、言い換えればそのデータはオーディオコントロールユニット２０にとっては不要なデータである。ナビゲーション装置３０は、ディマースイッチ５０に対する入力ライン３２は未接続であるからその初期値は“０：ｏｆｆ”であり、パーキングブレーキ６０に対する入力ライン３１の初期値は“０：ｏｆｆ”となる。ＴＶセット４０は、ディマースイッチ５０およびパーキングブレーキ６０に対する入力ライン４１、４２は未接続であり、それぞれの初期値は“０：ｏｆｆ”となる。こうしてオーディオコントロールユニット２０、ナビゲーション装置３０およびＴＶセット４０のすべての機器は、ディマースイッチがオフ状態、パーキングブレーキがオフ状態、という判定値をカレントメモリ５に有することとなる。
【００２７】
次に、自動車のＡＣＣ電源が投入されたとき、ディマースイッチ５０がオフ状態、パーキングブレーキ６０がオン状態にあるとする。ディマースイッチ５０のオフ状態は、入力ライン２１を介してオーディオコントロールユニット２０において検出される。検出されたオフ状態、すなわち“０：ｏｆｆ”がカレントメモリ５に記憶され、今まで記憶されていた初期値はラストメモリ６に記憶される。カレントメモリ５とラストメモリ６のデータは、一致しており、状態の変化がないので、オーディオコントロールユニット２０からの送信データはない。
【００２８】
パーキングブレーキ６０のオン状態は、入力ライン３１を介してナビゲーション装置３０において検出され、このオン状態、すなわち“１：オン”がカレントメモリ５に記憶され、今まで記憶されていた初期値はラストメモリ６に記憶される。状態変化判定部７は、カレントメモリ５とラストメモリ６のデータとが一致していないことから状態変化があったと判定し、ナビゲーション装置３０から他の機器に対して“＊．１”の状態変化データが送信される。なお、状態変化データの作成は、状態変化判定部７が行っても良いし、状態変化があったことを受けた制御部１１が行っても良い。ナビゲーション装置３０からの状態変化データ“＊．１”は、オーディオコントロールユニット２０およびＴＶセット４０に送信され、それらのカレントメモリ５の内容が更新される。ディマースイッチは、不明な値“＊”であるため、ディマースイッチについての情報はそのまま維持、すなわち初期値と同じ値（“０”）が維持され、パーキングブレーキについての情報が“１”に書き換えられる。
【００２９】
また、ＴＶセット４０は、その入力ライン４１、４２が未接続であるから、その状態が変化することはなく、従って、ＴＶセット４０から状態変化データが送信されることはない。こうして、すべての機器において、カレントメモリ５にはディマースイッチがオフ状態にあること、およびパーキングブレーキがオン状態にあるということが記憶され、この状態が制御部１１により判定することが可能となり、同一の車両情報の共有が実現される。
【００３０】
次に、ディマースイッチがオフ状態のままであり、パーキングブレーキがオフ状態に変化したとする。この場合、オーディオコントロールユニット２０の内部データは変化がないため、そこから送信データは送信されない。ＴＶセット４０も上述したように送信データを送信しない。ナビゲーション装置３０は、パーキングブレーキがオンからオフ状態に変化されたことにより、カレントメモリ５とラストメモリ６との比較から、“＊．０”の状態変化データが他の機器に送信される。オーディオコントロールユニット２０およびＴＶセット４０は、“＊．０”の状態変化データにより、ディマースイッチのデータはそのまま維持し、パーキングブレーキのデータを“０”に書き換える。こうして、すべての機器において、制御部２２が車両共有化情報メモリ１２の内容を参照することで、ディマースイッチとパーキングブレーキがオフ状態にあることと判定することができる。
【００３１】
次に、ディマースイッチ５０がオン状態に変化し、パーキングブレーキがオフ状態に変化されたとき、オーディオコントロールユニット２０によりディマースイッチのオン状態が検出され、その結果、ディマースイッチの状態変化が生じたとして、“１．＊”の状態変化データが送信される。その他のナビゲーション装置３０およびＴＶセット４０では内部データの変化がないため、送信データは送信されない。こうして、すべての機器において、ディマースイッチ５０のオン状態とパーキングブレーキのオフ状態の車両情報が共有化される。
【００３２】
次に、ディマースイッチがオン状態を維持し、パーキングブレーキがオン状態に変化されたとき、ナビゲーション装置３０によりパーキングブレーキの状態変化が検出され、オーディオコントロールユニット２０およびＴＶセット４０に対して“＊。１”の状態変化データが送信される。同様に、ディマースイッチがオン状態からオフ状態に変化され、パーキングブレーキがオン状態を維持しているとき、オーディオコントロールユニット２０においてその状態変化があったことが判定され、オーディオコントロールユニット２０からナビゲーション装置３０およびＴＶセット４０に対して、“０．＊”の状態変化データが送信され、それらに基づいて共有化車両情報メモリ１２のデータが書き換えられる。
【００３３】
本実施の態様によれば、オーディオコントロールユニット２０、ナビゲーション装置３０およびＴＶセットに設けられている複数の入力ラインのうち重複した入力ラインを車両情報の供給源に配線する必要がなくなり、配線作業の効率化を図ることができる。さらに、車両情報の供給源に接続される入力ラインは、一番接続し易い機器を選択して行うことができる。例えば、ディマースイッチ５０は、一般に車の前方に配される場合が多く、ナビゲーション装置の本体やＴＶのチューナー等が配置されたトランクからの配線は引き回しが大変であり作業に手間を要するが、インダッシュのオーディオコントロールユニットであれば比較的近いので配線作業が容易である。また、パーキングブレーキは、一般にシート横に配置されるため、オーディオコントロールユニットあるいはインダッシュからの配線よりもシート下に配置されたナビゲーション装置からの配線の方が容易となることがある。
【００３４】
さらに、電子機器の入力ラインが未接続であっても車両情報の誤判定を引き起こすことはなく、正確な車両情報の判定を行うことができる。これにより、ユーザによる未接続の電子機器を無効にする設定作業も削除することができ、それに伴いユーザの設定ミスの問題も解消することができる。
【００３５】
上記実施の態様では、複数の車両情報のいずれか１つの車両情報に変化があったときに、状態変化のない車両情報を含めた状態変化データを送信する例を示したが、これ以外の方法であってもよい。例えば、複数の車両情報のうち状態変化があった車両情報の状態変化データだけを送信するようにしてもよい。言い換えれば、不明な値（＊）のデータ送信を行わないようにしてもよい。また、不明なデータを共有化された車両情報データで置き換えて、“１”または“０”の２値データを送信するようにしても良い。
【００３６】
さらに上記実施の態様では、ディマースイッチとパーキングブレーキとを一緒にしたデータ構成で状態変化データを送信する例を示したが、これらを切り離して個別のデータ構成にて送信するようにしてもよい。つまり、ディマースイッチ５０についてのデータ構成を有する状態変化データと、パーキングブレーキについてのデータ構成を有する状態変化データとを独立して送信するものであっても良い。
【００３７】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３８】
上記実施の態様では、車両情報として、ディマースイッチとパーキングブレーキを例示したが、勿論、これ以外の車両情報を用いることも可能である。さらに、電子機器として、オーディオコントロールユニット、ナビゲーション装置、ＴＶセット以外にも、コンピュータ装置や通信装置等の他の電子機器を用いるものであっても良い。
【００３９】
【発明の効果】
本発明に係る車両情報判別機能を有する電子機器を複数接続し、車両情報を各電子機器間において誤りなく共有することが可能となるため、すべての電子機器の入力ラインを必ずしも車両情報の供給源に接続する必要はなくなり、接続し易い入力ラインだけを車両情報の供給源に接続し、他の重複する入力ラインを未接続とすることができ、配線作業を簡素化しかつその作業効率を向上させることができる。
【図面の簡単な説明】
【図１】本発明の実施の形態に係る車両情報判定機能を有する電子機器の構成を示すブロック図である。
【図２】カレントデータとラストデータを比較したときの送信データの例を示す図である。
【図３】車両情報判定機能を有する電子機器を用いて車両情報共有化システムを構成したときの一例を示す図である。
【図４】図３に示すシステムにおける動作例を説明する図である。
【図５】従来の電子機器の車両情報の供給源への接続例を示す図である。
【符号の説明】
１：電子機器                    ２：車両情報の供給源
３：入力ライン                  ４：車両情報入力部
５：カレントメモリ              ６：ラストメモリ
７：状態変化判定部              ８：ＬＡＮ回線
９：データ送受信部            １０：機能部
１１：制御部                  ２０：オーディオコントロールユニット
３０：ナビゲーション装置      ４０：ＴＶセット
５０：ディマースイッチ        ６０：パーキングブレーキ
２１、３１、３２、４１、４２：入力ライン
【図１】
2004268624.tif 000003
【図２】
2004268624.tif 000004
【図３】
2004268624.tif 000005
【図４】
2004268624.tif 000006
【図５】
2004268624.tif 000007